【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
複数の画素行および複数の画素列を構成するように二次元状に複数の画素が配置された画素アレイと、前記複数の画素から所定のカラー配列に従うカラーの信号が出力されるように前記画素アレイの上に配列されたカラーフィルタとを備えた固体撮像装置であって、
各画素列に第１列読出線および第２列読出線が設けられており、
前記画素アレイを構成する前記複数の画素行は、第１グループの画素行と第２グループの画素行とにグループ分けされ、前記第１グループは、各々のサブグループが同一カラーの画素で構成される複数のサブグループにグループ分けされ、前記第２グループは、各々のサブグループが同一カラーの画素で構成される複数のサブグループにグループ分けされており、前記第１グループの画素行に属する画素の信号は、前記第１列読出線に出力され、前記第２グループの画素行に属する画素の信号は、前記第２列読出線に出力され、
各画素が、光電変換素子および転送素子を含み、
同一の画素列かつ同一のサブグループに属する複数の画素が、フローティングディフュージョンおよびそれに接続された導電体を含む変換領域と、前記光電変換素子で生じた信号を増幅する増幅素子とを共有し、前記光電変換素子で発生した電荷が前記転送素子によって前記変換領域に転送され、該転送された電荷が前記変換領域で電圧に変換され、１つの前記変換領域と他の前記変換領域とが互いに交差していない、ことを特徴とする固体撮像装置。
【請求項２】
画素列に設けられた前記第１列読出線および前記第２列読出線の間に当該画素列の各画素の前記光電変換素子が配置され、
前記第１グループの画素行に属する画素の前記光電変換素子の前記第２列読出線の側における境界線と前記第１列読出線との間に当該画素が属するサブグループの前記変換領域が配置され、
前記第２グループの画素行に属する画素の前記光電変換素子の前記第１列読出線の側における境界線と前記第２列読出線との間に当該画素が属するサブグループの前記変換領域が配置されている、
ことを特徴とする請求項１に記載の固体撮像装置。
【請求項３】
画素列に設けられた前記第１列読出線および前記第２列読出線の間に当該画素列の各画素の前記光電変換素子が配置され、
前記第１グループの画素行に属する画素の前記光電変換素子と当該画素の信号が出力される前記第１列読出線との間に当該画素が属するサブグループの前記変換領域が配置され、
前記第２グループの画素行に属する画素の前記光電変換素子と当該画素の信号が出力される前記第２列読出線との間に当該画素が属するサブグループの前記変換領域が配置されている、
ことを特徴とする請求項１に記載の固体撮像装置。
【請求項４】
前記第１列読出線および前記第２列読出線が同一の層に配置されていることを特徴とする請求項１乃至３のいずれか１項に記載の固体撮像装置。
【請求項５】
前記第１列読出線および前記第２列読出線が互いに異なる層に配置されていることを特徴とする請求項１に記載の固体撮像装置。
【請求項６】
前記第１列読出線および前記第２列読出線が平面レイアウトにおいて互いに重なるように配置されていることを特徴とする請求項５に記載の固体撮像装置。
【請求項７】
前記第１グループに含まれる画素の前記光電変換素子で生じた電荷の前記変換領域への転送と、前記第２グループに含まれる画素の前記光電変換素子で生じた電荷の前記変換領域への転送と、が同時に行われることを特徴とする請求項１乃至６のいずれか１項に記載の固体撮像装置。
【請求項８】
同一のサブグループに含まれる複数の前記光電変換素子で生じた電荷を前記変換領域で加算することを特徴とする請求項１乃至７のいずれか１項に記載の固体撮像装置。
【請求項９】
前記第１グループの画素行と、前記第２グループの画素行とが交互に配置されていることを特徴とする請求項１乃至８のいずれか１項に記載の固体撮像装置。
【請求項１０】
第１の色のカラーフィルタを透過した光が入射する第１の光電変換素子および第２の光電変換素子と、
前記第１の光電変換素子の電荷をフローティングディフュージョンおよびそれに接続された導電体を含む第１変換領域に転送する第１転送素子と、
前記第２の光電変換素子の電荷を前記第１変換領域に転送する第２転送素子と、
前記第１の色とは異なる色である第２の色のカラーフィルタを透過した光が入射する第３の光電変換素子および第４の光電変換素子と、
前記第３の光電変換素子の電荷をフローティングディフュージョンおよびそれに接続された導電体を含む第２変換領域に転送する第３転送素子と、
前記第４の光電変換素子の電荷を前記第２変換領域に転送する第４転送素子と、
前記第１及び第２の光電変換素子で生じた信号を増幅する第１増幅素子と、
前記第３及び第４の光電変換素子で生じた信号を増幅する第２増幅素子と、
前記第１増幅素子からの信号が出力される第１列読出線と、
前記第２増幅素子からの信号が出力される第２列読出線と、
を有する画素列を複数有し、
前記第３の光電変換素子は前記第１及び前記第２の光電変換素子の間に配され、
前記第１及び前記第２変換領域は互いに交差していないことを特徴とする固体撮像装置。
【請求項１１】
前記第１変換領域の前記フローティングディフュージョンは、前記第１の光電変換素子からの電荷が転送される第１フローティングディフュージョンと、前記第２の光電変換素子からの電荷が転送される第２フローティングディフュージョンと、を含み、
前記第２変換領域のフローティングディフュージョンは、前記第３の光電変換素子からの電荷が転送される第３フローティングディフュージョンと、前記第４の光電変換素子からの電荷が転送される第４フローティングディフュージョンと、を含み、
各画素列に設けられた前記第１列読出線および前記第２列読出線の間に当該画素列の前記光電変換素子が配置され、
前記第１の光電変換素子の前記第２列読出線の側における境界線と前記第１列読出線との間に前記第１フローティングディフュージョンが配置され、
前記第３の光電変換素子の前記第１列読出線の側における境界線と前記第２列読出線との間に前記第３フローティングディフュージョンが配置されている、ことを特徴とする請求項１０に記載の固体撮像装置。
【請求項１２】
前記第２の光電変換素子の前記第２列読出線の側における境界線と前記第１列読出線との間に前記第２フローティングディフュージョンが配置され、
前記第４の光電変換素子の前記第１列読出線の側における境界線と前記第２列読出線との間に前記第４フローティングディフュージョンが配置されている、ことを特徴とする請求項１１に記載の固体撮像装置。
【請求項１３】
各画素列に設けられた前記第１列読出線および前記第２列読出線の間に当該画素列の光電変換素子が配置され、
前記第１の光電変換素子と前記第１列読出線との間に前記第１変換領域が配置され、
前記第３の光電変換素子と前記第２列読出線との間に前記第２変換領域が配置されている、ことを特徴とする請求項１０に記載の固体撮像装置。
【請求項１４】
前記第１列読出線および前記第２列読出線が同一の層に配置されていることを特徴とする請求項１０乃至１３のいずれか１項に記載の固体撮像装置。
【請求項１５】
前記第１列読出線および前記第２列読出線が互いに異なる層に配置されていることを特徴とする請求項１０に記載の固体撮像装置。
【請求項１６】
前記第１列読出線および前記第２列読出線が平面レイアウトにおいて互いに重なるように配置されていることを特徴とする請求項１５に記載の固体撮像装置。
【請求項１７】
前記第１の光電変換素子で生じた電荷の前記第１変換領域への転送と前記第３の光電変換素子で生じた電荷の前記第２変換領域への転送とが同時に行われることを特徴とする請求項１０乃至１６に記載の固体撮像装置。
【請求項１８】
前記第１の光電変換素子で生じた電荷と前記第２の光電変換素子で生じた電荷とを前記第１変換領域で加算することを特徴とする請求項１０乃至１７に記載の固体撮像装置。
【請求項１９】
同一画素列の前記第１列読出線と前記第２列読出線とに同時に信号が出力されることを特徴とする請求項１乃至１８のいずれか１項に記載の固体撮像装置。
【請求項２０】
前記カラーフィルタはベイヤ配列であることを特徴とする請求項１乃至１９のいずれか１項に記載の固体撮像装置。
【請求項２１】
請求項１乃至２０のいずれか１項に記載の固体撮像装置と、
前記固体撮像装置によって得られた信号を処理する信号処理部と、
を備えることを特徴とする撮像装置。